(57)【要約】【課題】専用のソケットだけでなくそれ以外のソケットにも取り付けることが可能な片口金蛍光灯を提供する。【解決手段】片口金蛍光灯２は、ソケットの嵌合凹部に差し込まれることによりソケットと接続される口金３と、この口金３に両端部２１Ａ，２１Ｂが保持されるとともに、そのうちの一方の端部２１Ａにアマルガム２６が配設された発光管２１とを備えている。口金３のソケットの嵌合凹部に差し込まれる側の端面３１には、発光管２１の一方の端部２１Ａ側または他方の端部２１Ｂ側に偏った位置に凹部３１ａが設けられている。【選択図】図１
2008047483.tif 000002
【特許請求の範囲】
【請求項１】
ソケットの嵌合凹部に差し込まれることによりソケットと接続される口金と、この口金に両端部が保持されるとともに、そのうちの一方の端部にアマルガムが配設された発光管とを備えた片口金蛍光灯において、
前記口金の前記ソケットの嵌合凹部に差し込まれる側の端面には、前記発光管の一方の端部側または他方の端部側に偏った位置に凹部が設けられていることを特徴とする片口金蛍光灯。
【請求項２】
前記口金の凹部に嵌め込み可能であって、当該凹部に嵌め込まれることによって前記口金の端面から突出する凸部を形成する嵌合部材をさらに備えることを特徴とする請求項１に記載の片口金蛍光灯。
【請求項３】
請求項１に記載の片口金蛍光灯と、この片口金蛍光灯の口金が差し込まれる嵌合凹部を有するソケットとを備え、
前記嵌合凹部の底面には、前記発光管の一方の端部側と他方の端部側の両側の位置にそれぞれ凹部が設けられていて、これらの凹部の一方に嵌め込まれることによって前記底面から突出し、前記片口金蛍光灯の口金の凹部に嵌合可能な凸部を形成する嵌合部材をさらに備えることを特徴とする照明装置。
【発明の詳細な説明】
【技術分野】
【０００１】
本発明は、アマルガムを内臓する片口金蛍光灯およびこの片口金蛍光灯を具備する照明装置に関するものである。
【背景技術】
【０００２】
従来、図７に示すような片口金蛍光灯２０が知られている（例えば、特許文献１参照）。この片口金蛍光灯２０は、発光管２１の両端部が１つの口金３０に保持されたものである。
【０００３】
具体的には、前記口金３０は、図略のソケットの嵌合凹部に差し込まれることによりソケットと接続されるものであり、ソケットに差し込まれる側の端面３１に端子ピン３２が突設されている。
【０００４】
前記発光管２１は、直線上に延びる一対の直管部２１ａと、これらの直管部２１ａの一端部同士を連結するとともに直管部２１ａの内部同士を連通する連通部２１ｂとを有している。そして、一対の直管部２１ａの他端部が発光管２１の両端部となっており、これらの他端部が口金３０に保持されている。また、一対の直管部２１ａの他端部には、口金３０の端子ピン３２と電気的に接続された図９に示すようなフィラメント２４がそれぞれ設けられている。なお、図８に示すように、連通部２１ｂの配設位置および形状は適宜変更可能である。
【０００５】
前記発光管２１の一方の端部、すなわち一方の直管部２１ａの他端部には、図９に示すように、小径の収納部２１ｃが形成されており、この収納部２１ｃ内にアマルガム２６が配設されている。なお、収納部２１ｃは、内部にアマルガム２６が配設された状態で無垢棒２５によって閉塞されている。
【０００６】
アマルガム２６は、常温で固体であるが温度上昇とともに溶融することにより発光管２１に封入された水銀を吸着するものである。これにより、高温となった場合でも、発光管２１内の水銀蒸気圧が適正な値に維持されて、片口金蛍光灯２０から放射される光束の低下が防止される。
【０００７】
さらに、特許文献２には、図１０に示すような２本の発光管２１を有する片口金蛍光灯２０’を具備する照明装置１０が記載されている。この照明装置１０では、両端部が上下に並び、かつ、アマルガム２６が配設された方の端部が上側となる状態で発光管２１が口金３０’に保持されている。また、口金３０’には下方に突出する突起３０ａが設けられている一方、ソケット４０は嵌合凹部４０ａの下部が下方に窪む形状に形成されていて、片口金蛍光灯２０’が図示した姿勢でなければソケット４０に取り付けできないようになっている。すなわち、突起３０ａと嵌合凹部４０ａによって片口金蛍光灯２０’の取付姿勢が規制されるようになっている。
【特許文献１】特開２００１−１２６５０２号公報
【特許文献２】実開昭６３−１９１５０８号公報
【発明の開示】
【発明が解決しようとする課題】
【０００８】
ここで、例えば、照明器具１０が冷え易い環境に設置される場合には、片口金蛍光灯２０’を発光管２１のアマルガム２６が入っている方の端部が上になる姿勢でソケット４０に取り付けて、片口金蛍光灯２０’を収容する筐体（図示せず）による保温効果でアマルガム２６が冷却され難くすることが好ましく、逆に照明器具１０が冷え難い環境に設置される場合には、片口金蛍光灯２０’を発光管２１のアマルガム２６が入っている方の端部が下になる姿勢でソケット４０に取り付けて、アマルガム２６が冷却され易くすることが好ましい。なお、発光管２１の両端部が水平方向に並ぶ場合でも、図略の点灯装置等との関係により、アマルガム２６を最適な位置に配置することが望まれる。
【０００９】
このようにアマルガム２６にとって最適な状態となる姿勢で片口金蛍光灯２０’をソケット４０に取り付けるようにするには、口金３０’の突起３０ａの位置またはソケット４０の嵌合凹部４０ａの形状を適宜変更して片口金蛍光灯２０’の取付姿勢を規制すればよい。
【００１０】
しかしながら、口金３０’に突起３０ａが設けられていると、片口金蛍光灯２０’を図１０に示すような専用のソケット４０にしか取り付けることができない。
【００１１】
本発明は、このような事情に鑑み、専用のソケットに取り付ければ、アマルガムにとって最適な状態となるように片口金蛍光灯の取付姿勢を規制することができるとともに、それ以外のソケットにも取り付けることが可能な片口金蛍光灯およびこの片口金蛍光灯を具備する照明装置を提供することを目的とする。
【課題を解決するための手段】
【００１２】
請求項１に係る発明は、ソケットの嵌合凹部に差し込まれることによりソケットと接続される口金と、この口金に両端部が保持されるとともに、そのうちの一方の端部にアマルガムが配設された発光管とを備えた片口金蛍光灯において、前記口金の前記ソケットの嵌合凹部に差し込まれる側の端面には、前記発光管の一方の端部側または他方の端部側に偏った位置に凹部が設けられていることを特徴とするものである。
【００１３】
請求項２に係る発明は、請求項１に記載の片口金蛍光灯において、前記口金の凹部に嵌め込み可能であって、当該凹部に嵌め込まれることによって前記口金の端面から突出する凸部を形成する嵌合部材をさらに備えることを特徴とするものである。
【００１４】
請求項３に係る発明は、請求項１に記載の片口金蛍光灯と、この片口金蛍光灯の口金が差し込まれる嵌合凹部を有するソケットとを備え、前記嵌合凹部の底面には、前記発光管の一方の端部側と他方の端部側の両側の位置にそれぞれ凹部が設けられていて、これらの凹部の一方に嵌め込まれることによって前記底面から突出し、前記片口金蛍光灯の口金の凹部に嵌合可能な凸部を形成する嵌合部材をさらに備えることを特徴とする照明装置である。
【発明の効果】
【００１５】
請求項１に係る発明によれば、口金の端面の発光管の一方の端部側または他方の端部側に偏った位置に凹部を設けたから、この凹部に嵌合可能な凸部が設けられた専用のソケットに片口金蛍光灯を取り付ければ、片口金蛍光灯の取付姿勢の規制によって、片口金蛍光灯をアマルガムにとって最適な状態となる姿勢にすることができる。しかも、この片口金蛍光灯は、専用のソケットだけでなく凸部が設けられていないソケットにも取り付けることができる。この場合でも、凹部が発光管の一方の端部側または他方の端部側に偏った位置にあるので、この凹部を視認することでアマルガムの位置を把握することができ、片口金蛍光灯をアマルガムにとって最適な状態となる姿勢でソケットに取り付けることが可能になる。
【００１６】
請求項２の発明によれば、嵌合部材を口金の凹部に嵌め込むことによって事後的に凸部を形成することができるため、凹部が設けられたソケットに片口金蛍光灯を取り付ける際にも取付姿勢を規制することができるようになる。
【００１７】
請求項３の発明によれば、ソケットの嵌合凹部の底面に設けられた凹部のどちらに嵌合部材を嵌め込むかによって、片口金蛍光灯の取付姿勢を変更することができるようになる。
【発明を実施するための最良の形態】
【００１８】
以下、本発明を実施するための最良の形態について、図面を参照しながら詳細に説明する。
【００１９】
図１に示すように、本発明の一実施形態に係る片口金蛍光灯２は、口金３と、この口金３に両端部２１Ａ，２１Ｂが保持される発光管２１とを備えている。
【００２０】
前記発光管２１は、背景技術で図７〜図９を参照して説明したものと同様の構成であり、一対の直管部２１ａの一端部同士が連通部２１ｂで連結されるとともに、一方の直管部２１ａの他端部、すなわち発光管２１の一方の端部２１Ａにアマルガム２６が配設されたものでる。
【００２１】
なお、本明細書では、直管部２１ａの延びる方向をＸ方向といい、一対の直管部２１ａが並ぶ方向をＹ方向という。
【００２２】
前記口金３は、図２に示すような第１のソケット４Ａの嵌合凹部４１に差し込まれることにより第１のソケット４Ａと接続されるものである。この口金３は、Ｙ方向に長尺でかつその両端が丸みを帯びた断面形状でＸ方向に延びる略楕円柱状をなしている。
【００２３】
第１のソケット４Ａの嵌合凹部４１は、周壁４２で囲まれて形成されている。この周壁４２のＹ方向の両端部には、Ｘ方向に延びるガイド溝４２ａが形成されている一方、前記口金３のＹ方向の両側面には、ガイド溝４２ａに嵌合可能な突起３３が突設されていて、口金３を嵌合凹部４１に差し込む際に突起３３がガイド溝４２ａにガイドされるようになっている。
【００２４】
また、口金３の嵌合凹部４１に差し込まれる側の端面３１には、発光管２１の両端部２１Ａ，２１Ｂに設けられたフィラメント２４と電気的に接続された４本の端子ピン３２が突設されている。
【００２５】
さらに、口金３の端面３１には、発光管２１の一方の端部２１Ａ側に偏った位置に凹部３１ａが設けられている。なお、凹部３１ａは、発光管２１のどちらの端部にアマルガム２６が配設されているかを識別するためのものであるため、発光管２１の他方の端部２１Ｂ側に偏った位置に設けられていてもよい。
【００２６】
そして、第１のソケット４Ａの嵌合凹部４１の底面４１ａには、当該底面４１ａの中心よりもＹ方向の一方側の位置に前記凹部３１ａに嵌合可能な凸部４３が設けられており、片口金蛍光灯２を口金３の凹部３１ａが第１のソケット４Ａの凸部４３と同じ側に位置する姿勢にしなければ、片口金蛍光灯２を第１のソケット４Ａに取り付けできないようになっている。すなわち、口金３の凹部３１ａと第１のソケット４Ａの凸部４３によって片口金蛍光灯２の取付姿勢が規制されるため、第１のソケット４Ａの筐体（図示せず）への取付方によって、片口金蛍光灯２をアマルガム２６にとって最適な状態となる姿勢でしかソケット４Ａに取り付けられないようにすることができる。
【００２７】
本実施形態の片口金蛍光灯２では、口金３の端面３１の発光管２１の一方の端部２１Ａ側または他方の端部２１Ｂ側に偏った位置に凹部３１ａを設けたから、この凹部３１ａに嵌合可能な凸部４３が設けられた専用の第１のソケット４Ａに片口金蛍光灯２を取り付ければ、片口金蛍光灯２の取付姿勢の規制によって、片口金蛍光灯２をアマルガム２６にとって最適な状態となる姿勢にすることができる。
【００２８】
しかも、この片口金蛍光灯２は、第１のソケット４Ａだけでなく、図３に示すような凸部４３の代わりに凹部４４が設けられた第２のソケット４Ｂや凸部４３も凹部４４も設けられていない汎用ソケット（図示せず）にも取り付けることができる。この場合でも、凹部３１ａが発光管２１の一方の端部２１Ａ側または他方の端部２１Ｂ側に偏った位置にあるので、この凹部３１ａを視認することでアマルガム２６の位置を把握することができ、片口金蛍光灯２をアマルガム２６にとって最適な状態となる姿勢でソケットに取り付けることが可能になる。
【００２９】
なお、片口金蛍光灯２は、図４および図５に示すように、嵌合部材５を備えていてもよい。この嵌合部材５は、口金３の凹部３１ａに嵌め込み可能な形状（図例では直方体形状）をなしており、当該凹部３１ａに嵌め込まれることによって端面３１から突出し、第２のソケット４Ｂの凹部４４に嵌合可能な凸部を形成するものである。
【００３０】
このようにすれば、嵌合部材５を凹部３１ａに嵌め込むことによって事後的に凸部を形成することができるため、凹部４４が設けられた第２のソケット４Ｂに片口金蛍光灯２を取り付ける際にも取付姿勢を規制することができるようになる。
【００３１】
さらには、図６に示すような第３のソケット４Ｃに、前記嵌合部材５および片口金蛍光灯２を組み合わせて照明装置とすることも可能である。
【００３２】
第３のソケット４Ｃでは、嵌合凹部４１の底面４１ａの中心を挟んでＹ方向の両側位置に、換言すれば発光管２１の一方の端部２１Ａ側と他方の端部２１Ｂ側の両側の位置にそれぞれ凹部４４が設けられている。そして、嵌合部材５は、これらの凹部４４の一方に嵌め込まれることによって底面４１ａから突出し、片口金蛍光灯２の口金３の凹部３１ａに嵌合可能な凸部を形成するようになる。
【００３３】
すなわち、嵌合部材５を予め第３のソケット４Ｃのどちらかの凹部４４に嵌め込んでおけば、第１のソケット４Ａと同じ役割を果たすようになり、嵌合部材５をどちらの凹部４４に嵌め込むかによって、片口金蛍光灯２の取付姿勢を変更することができるようになる。
【００３４】
なお、発光管２１の形状は、円弧状等になっていてもよい。
【図面の簡単な説明】
【００３５】
【図１】本発明の一実施形態に係る片口金蛍光灯の斜視図である。
【図２】第１のソケットの斜視図である。
【図３】第２のソケットの斜視図である。
【図４】変形例の片口金蛍光灯の分解斜視図である。
【図５】変形例の片口金蛍光灯の斜視図である。
【図６】第３のソケットの斜視図である。
【図７】従来の片口金蛍光灯の一例を示す図であり、（ａ）は平面図、（ｂ）は側面図である。
【図８】従来の片口金蛍光灯の他の一例を示す図であり、（ａ）は平面図、（ｂ）は側面図である。
【図９】片口金蛍光灯の発光管の一方の端部の断面側面図である。
【図１０】従来の照明装置の分解斜視図である。
【符号の説明】
【００３６】
２    片口金蛍光灯
２１  発光管
２６  アマルガム
３    口金
３１  端面
３１ａ  凹部
４Ａ〜４Ｃ  ソケット
４１  嵌合凹部
４１ａ  底面
４３  凸部
４４  凹部
５    嵌合部材
【図１】
2008047483.tif 000003
【図２】
2008047483.tif 000004
【図３】
2008047483.tif 000005
【図４】
2008047483.tif 000006
【図５】
2008047483.tif 000007
【図６】
2008047483.tif 000008
【図７】
2008047483.tif 000009
【図８】
2008047483.tif 000010
【図９】
2008047483.tif 000011
【図１０】
2008047483.tif 000012